(57)【要約】【課題】  複数の経路から供給される紙葉類を同一の紙葉類集積装置によって集積することによって装置を小型化、単純化した紙葉類集積装置を提供する。【解決手段】  Ａ搬送路２６は、搬送ローラ３３Ｅに掛かる搬送ベルトと、搬送ローラ３３Ｆに掛かる搬送ベルトとで紙葉類Ｐを搬送し、搬送ローラ３３Ｅ、３３Ｆの間から紙葉類Ｐを集積羽根車３３Ａに向かって繰り出す。Ｂ搬送路２７は、搬送ローラ３３Ｇに掛かる搬送ベルトと、搬送ローラ３３Ｈに掛かる搬送ベルトとで紙葉類Ｐを搬送し、搬送ローラ３３Ｇ、３３Ｈの間から紙葉類Ｐを集積羽根車３３Ａに向かって繰り出す。集積羽根車３３Ａは、集積羽根車検知センサＳＣ３３によって検知され、Ａ搬送路２６又はＢ搬送路２７から繰り出された紙葉類Ｐの繰り出しタイミングに合わせて、当該羽根車３３Ａの羽根と羽根の概略中央でこの紙葉類Ｐを取り込むように集積羽根車３３Ａの回転位置及び速度が設定される。【選択図】  図２
2007045533.tif 000002
【特許請求の範囲】
【請求項１】
紙葉類を１枚ずつ取り出して搬送し集積羽根車を用いて集積する紙葉類集積装置であって、
前記紙葉類を１枚ずつ取り出す取出手段と、
この取出手段によって取り出された前記紙葉類を搬送する第１の搬送手段と、
前記取出手段によって取り出された前記紙葉類を前記第１の搬送手段とは異なる経路で搬送する第２の搬送手段と、
前記第１の搬送手段又は前記第２の搬送手段から繰り出された前記紙葉類を前記集積羽根車に取り込んで集積庫に集積する紙葉類集積手段と、
前記第１の搬送手段又は前記第２の搬送手段から繰り出された前記紙葉類と前記紙葉類集積手段の取り込みタイミングの同期を取るために前記紙葉類集積手段の前記集積羽根車を検知する集積羽根車検知センサと
を備えたことを特徴とする紙葉類集積装置。
【請求項２】
前記第１の搬送手段によって繰り出された前記紙葉類を前記集積羽根車で取り込む取込位置と、前記第２の搬送手段によって繰り出された前記紙葉類を前記集積羽根車に取り込む取込位置が異なっていることを特徴とする請求項１記載の紙葉類集積装置。
【請求項３】
紙葉類を１枚ずつ取り出して搬送し集積羽根車を用いて集積する紙葉類集積装置であって、
前記紙葉類を１枚ずつ取り出す取出手段と、
この取出手段によって取り出された前記紙葉類を搬送する第１の搬送手段と、
前記取出手段によって取り出された前記紙葉類を前記第１の搬送手段とは異なる経路で搬送する第２の搬送手段と、
前記第１の搬送手段から繰り出された前記紙葉類を前記集積羽根車に取り込んで集積庫に集積し、前記第２の搬送手段から繰り出された前記紙葉類を前記集積羽根車を用いずに前記集積羽根車の近傍から前記集積庫に集積する紙葉類集積手段と、
前記第１の搬送手段又は前記第２の搬送手段から繰り出された前記紙葉類と前記紙葉類集積手段の取り込みタイミングの同期を取るために前記紙葉類集積手段の前記集積羽根車を検知する集積羽根車検知センサと
を備えたことを特徴とする紙葉類集積装置。
【発明の詳細な説明】
【技術分野】
【０００１】
本発明は、紙幣など紙葉類を処理する紙葉類処理装置に搭載される紙葉類集積装置に関し、特に、1個の紙葉類集積装置に複数の搬送路から紙葉類が繰り出された紙葉類を集積する紙葉類集積装置に関する。
【背景技術】
【０００２】
紙葉類を処理する紙葉類処理装置は、集積した状態で投入された１ロット分の紙葉類を紙葉類取出装置によって１枚ずつ取り出し、後段の処理部へ搬送する。このようにして搬送された紙葉類は、例えば、搬送路上に設けられた紙葉類判別装置を通過したときに、搬送先に関する情報が検出され、この検出結果に基づいて搬送路上に設けられた複数の振分ゲートが切り換えられて、所定の搬送先へ搬送されて集積処理又は施封処理が行われる。
【０００３】
集積処理は、このようにして振り分けられた紙葉類を紙葉類集積装置によって集積する。近年、高速に搬送される紙葉類の集積手段として羽根車集積装置が用いられるようになった。この羽根車集積装置は、高速に搬送される紙葉類が連続かつ等間隔に搬送される場合に適しており、高速に搬送される紙葉類の運動エネルギールーを吸収して減速し、下部の集積庫に揃えて積層することができる。すなわち、羽根車集積装置は、羽根車集積装置の羽根間に１枚ずつ紙葉類を取り込み、羽根車の回転に伴って、集積庫に集積する。
【０００４】
なお、この集積庫に集積された紙葉類は、例えば排除券集積庫のように、集積された紙葉類が操作員によって取り出され、再供給などの処理に移される場合と、カセットに収納又は施封処理に移される場合がある。
【０００５】
例えば、カセットに収納される場合は、上記羽根車集積装置によって、１ロット分の区分集積が完了すると、これら各一時集積庫の排出口（シャッター）を開放して、各一時集積室に対応したカセットに押込み部材（押込板）により押圧して収納される。
【０００６】
また、施封処理される場合は、施封するように指定された紙葉類が一時集積庫に集積され、１００枚に達する毎に帯巻部に搬送され紙帯で施封される。
【０００７】
集積処理又は施封処理の何れにも使用される羽根車集積装置は、羽根間の奥に紙葉類を正しく入れることによって十分な機能を果たすことから、紙葉類を奥まで入れる方法として、羽根車の羽根との間隔をぎりぎりまで短くして搬送ベルトを配置したり、ベルトを羽根にオーバラップさせたり、ガイドを羽根に入れ子にするなどの方法が用いられてきた。
【０００８】
このような一時集積庫では、従来から、１つの経路から紙葉類が１枚ずつ一定の間隔で送られてくるのが一般的であった。従ってこのようにして送られてきた紙葉類を羽根車が１枚ずつ受け取り、減速して一時集積庫に整位して集積していた（例えば、特許文献１参照。）。
【特許文献１】特開平２−１７５５５９号公報  （第１―３頁、図１）
【発明の開示】
【発明が解決しようとする課題】
【０００９】
しかしながら、特許文献１記載の方法は、紙葉類処理装置によって区分された紙葉類を集積するためには区分の数だけ経路が生成され、この生成された経路毎に集積羽根車などを用いた紙葉類集積装置が必要になるため、装置が複雑化し大型になるという問題がある。
【００１０】
本発明は、上記問題を解決するためになされたもので、紙葉類を区分した複数の搬送路から繰り出された紙葉類を取り込んで同一の紙葉類集積装置によって集積できるようにすることによって装置を小型化、単純化することができ経済性にすぐれた紙葉類集積装置を提供する。
【課題を解決するための手段】
【００１１】
上記目的を達成するために、本発明の請求項１記載の紙葉類集積装置は、紙葉類を１枚ずつ取り出して搬送し集積羽根車を用いて集積する紙葉類集積装置であって、前記紙葉類を１枚ずつ取り出す取出手段と、この取出手段によって取り出された前記紙葉類を搬送する第１の搬送手段と、前記取出手段によって取り出された前記紙葉類を前記第１の搬送手段とは異なる経路で搬送する第２の搬送手段と、前記第１の搬送手段又は前記第２の搬送手段から繰り出された前記紙葉類を前記集積羽根車に取り込んで集積庫に集積する紙葉類集積手段と、前記第１の搬送手段又は前記第２の搬送手段から繰り出された前記紙葉類と前記紙葉類集積手段の取り込みタイミングの同期を取るために前記紙葉類集積手段の前記集積羽根車を検知する集積羽根車検知センサとを備えたことを特徴とする。
【００１２】
また、本発明の請求項３記載の紙葉類集積装置は、紙葉類を１枚ずつ取り出して搬送し集積羽根車を用いて集積する紙葉類集積装置であって、前記紙葉類を１枚ずつ取り出す取出手段と、この取出手段によって取り出された前記紙葉類を搬送する第１の搬送手段と、
前記取出手段によって取り出された前記紙葉類を前記第１の搬送手段とは異なる経路で搬送する第２の搬送手段と、前記第１の搬送手段から繰り出された前記紙葉類を前記集積羽根車に取り込んで集積庫に集積し、前記第２の搬送手段から繰り出された前記紙葉類を前記集積羽根車を用いずに前記集積羽根車の近傍から前記集積庫に集積する紙葉類集積手段と、前記第１の搬送手段又は前記第２の搬送手段から繰り出された前記紙葉類と前記紙葉類集積手段の取り込みタイミングの同期を取るために前記紙葉類集積手段の前記集積羽根車を検知する集積羽根車検知センサとを備えたことを特徴とする。
【発明の効果】
【００１３】
本発明によれば、紙葉類を区分した複数の搬送路から繰り出された紙葉類を取り込んで同一の紙葉類集積装置によって集積できるため、装置を小型化、単純化することができ経済性にすぐれた紙葉類集積装置にすることができる。
【発明を実施するための最良の形態】
【００１４】
以下、図面を参照して本発明の実施例を説明する。
【実施例１】
【００１５】
図１は、本発明の実施例１による紙葉類集積装置を搭載した紙葉類処理装置１の概略構成図である。図２は、本発明の実施例による排除券集積装置３３の主要部分を示す正面図である。
【００１６】
最初に、図１を参照して紙葉類処理装置１の構成について説明する。紙葉類処理装置１は、紙幣などの紙葉類Ｐの真偽（真券か偽券か）又は正損（再流通可能な正券か再流通不可能な損券か）を判別し、正券は紙葉類Ｐの種類ごとに紙葉類集積装置３０Ａ〜３１Ａに区分して集積し、損券は紙葉類裁断装置６０で裁断し、裁断片を収納箱（図示しない）に収集する装置である。
【００１７】
上記紙葉類処理装置１には、積載された紙葉類Ｐを一括して供給する供給部１０が設けられている。この供給部１０に積載された紙葉類Ｐは、取出ローラ１０Ａによって一定間隔で１枚ずつ取り出され、搬送路（搬送手段）２０に供給される。この取出ローラ１０Ａは、１回転する毎に紙葉類Ｐを１枚取り出す。この搬送路２０は、搬送ローラ（図示しない）と搬送ベルト（図示しない）で構成され、紙葉類Ｐを搬送方向上流から下流に向かって搬送する。
【００１８】
さらに、この取出ローラ（取出手段）１０Ａの取出回転を検知する取出ローラ検知センサ（取出ローラ検知手段）ＳＣ１０が設けられている。従って、取出ローラ検知センサＳＣ１０は、取出ローラ１０Ａが１回転する毎に１回暗になるセンサである。
【００１９】
このようにして、取出ローラ１０Ａによって供給部１０から供給された紙葉類Ｐは紙葉類判別部５０によって判別される。紙葉類判別部５０は、紙葉類Ｐの物理的特性を検知して判別するもので複数の紙葉類判別装置５２Ａ〜５６で構成されており、搬送方向下流に向かって搬送路２０に設けられている。また、これら紙葉類判別装置５２Ａ〜５６の判別結果に基づいて正券と判別された紙葉類Ｐを集積する紙葉類集積装置３０、３１、損券と判別された紙葉類Ｐを裁断する紙葉類裁断装置６０、偽券又は排除券を集積する排除券集積装置３３が設けられている。
【００２０】
取出検知部５１は、供給部１０から供給された紙葉類Ｐの取出状態を検知し検知結果を制御部２に通知する。この取出状態の検知結果が、例えば、複数枚取り出し、搬送ピッチ詰まりなどの場合は、搬送方向下流に搬送して処理する振分ゲートで振り分けられないなどの障害が発生しやすいため、取出異常を制御部２に通知する。制御部２は、この取出異常の通知を受信し、当該紙葉類Ｐの搬送方向を振り分ける振り分けゲートＧ４０を左に回動することによって当該紙葉類Ｐを搬送路２７に沿って搬送させ排除券集積装置３３に集積する。この排除券集積装置３３に集積された紙葉類Ｐは再供給することが可能である。
【００２１】
排除券集積装置３３はまた、紙葉類判別装置５０によって排除された紙葉類Ｐも集積するもので、集積羽根車３３Ａ、集積庫３３Ｄを備えており、搬送路２２に沿って搬送されてきた紙葉類Ｐを集積羽根車３３Ａで受け取り、集積庫３３Ｄに集積する。
【００２２】
紙葉類判別装置５２Ａ〜５２Ｂは、紙葉類Ｐの券種判別又は正損判別機能を有している。券種判別は、紙葉類Ｐが日本紙幣の場合は千円、２千円、５千円、万円からなる金種と搬送状態（正立／倒立、表／裏）を判別する。また、正損判別は紙葉類Ｐが正券か損券かを判別する。
【００２３】
紙葉類判別装置５３は、紙葉類Ｐの形状検知機能を有しており、紙葉類Ｐの長さ、幅、穴、破れなどを検知し検知結果を制御部２に通知する。当該紙葉類Ｐの長さ、幅が指定券種の設定値を超える場合は排除券となる。また、当該紙葉類Ｐの穴、破れ、切れなどが設定値を超える場合は損券となる。
【００２４】
紙葉類判別装置５４Ａ、５４Ｂは、紙葉類Ｐの磁気検知機能を有しており、紙葉類Ｐの磁性体量を検知し検知結果を制御部２に通知する。当該紙葉類Ｐの磁性体量が設定値を超える場合、又は当該紙葉類の所定の箇所に所定の磁性体量が存在しない場合は排除券となる。
【００２５】
紙葉類判別装置５４Ｃ、５４Ｄは、紙葉類Ｐの蛍光検知機能を有しており、紙葉類Ｐの蛍光体量を検知し検知結果を制御部２に通知する。当該紙葉類Ｐの蛍光体が設定値を超える場合、又は当該紙葉類の所定の箇所に所定の蛍光体量が存在しない場合は排除券となる。
【００２６】
紙葉類判別装置５５は、紙葉類Ｐの厚さ検知機能を有しており、紙葉類Ｐの厚さを検知し検知結果を制御部２に通知する。当該紙葉類Ｐの厚さが設定値を超える場合は排除券となる。
【００２７】
紙葉類判別装置５６は、テープ貼り検知機能を有しており、紙葉類Ｐに張り付いたテープを検知する。テープ貼りの大きさが設定値以内であれば損券となり、設定値を超える場合は排除券となる。
【００２８】
上記紙葉類判別装置５２Ａ〜５６の処理の結果、正券は紙葉類集積装置３０、３１に供給され、損券は紙葉類裁断装置６０に供給され、排除券は排除券集積装置３３に供給される。
【００２９】
紙葉類集積装置３０、３１は同様に構成されているため、ここでは紙葉類集積装置３０の説明を行い、排除券集積装置３３は、紙葉類集積装置３０と異なる部分の説明を行う。
【００３０】
紙葉類集積装置３０には、集積羽根車３０Ａ、集積庫、集積羽根車検知センサＳＣ３０が設けられている。
【００３１】
集積羽根車３０Ａは、複数の羽根が回転軸の周辺に組み込まれており、搬送されてきた紙葉類を羽根と羽根の間で受け取れるように紙葉類の搬送に同期して回転している。
【００３２】
集積庫には、上記紙葉類判別装置５２Ａ〜５６の処理の結果正券と判別された紙葉類Ｐの最初の１００枚が集積される。このときは、振り分けゲートＧ３０が右に回動され、当該紙葉類Ｐは搬送路２３を搬送されて集積羽根車３０Ａを備えた紙葉類集積装置３０の集積庫（第１集積室）に集積される。１００枚の通過と共に、振り分けゲートＧ３０を左側に回動し紙葉類Ｐが続けて集積されるのを防止すると共に、振り分けゲートＧ３１を右側に回動し、続けて搬送される１０１枚以降の正券の紙葉類Ｐを紙葉類集積装置３１に搬送するようにする。
【００３３】
上記紙葉類集積装置３０の集積庫に集積された正券１００枚の紙葉類Ｐは、カセット（第２集積室）に集積後、図示しない紙帯で施封される。同様に、紙葉類集積装置３１の集積庫に集積された正券が１００枚に達すると、振り分けゲートＧ３１を左側に回動し、紙葉類が続けて集積されるのを防止すると共に振り分けゲートＧ３０を右側に回動し、次の１００枚を紙葉類集積装置３０の集積庫に集積する。
【００３４】
また、集積羽根車３０Ａの羽根は、集積羽根車検知センサＳＣ３０によって検知され、搬送路２３から繰り出される紙葉類Ｐのタイミングに合わせて、当該羽根車３０Ａの羽根と羽根の概略中央でこの紙葉類Ｐを取り込むように集積羽根車３０Ａの回転位置及び速度が設定される。
【００３５】
また、上記１００枚毎に紙帯で施封された紙葉類はコンベア７０によって左側に搬送され、ストラップスタッカ７１に収納される。
【００３６】
以上、説明した部分は、紙葉類集積装置３１、排除券集積装置３３も上記紙葉類集積装置３０と同様に構成されている。
【００３７】
次に、図２を参照して排除券集積装置３３の動作を説明する。排除券集積装置３３には、この排除券集積装置３３に紙葉類Ｐを搬送するためのＡ搬送路２６、Ｂ搬送路２７が設けられている。また、これらＡ搬送路２６及びＢ搬送路２７から繰り出された紙葉類Ｐを取り込む集積羽根車３３Ａが軸支されている。さらに、この集積羽根車３３Ａを検知する集積羽根車検知センサＳＣ３３、集積ガイド３３Ｃが設けられている。
【００３８】
排除券集積装置３３は、以上のように構成され、排除券の集積に使用される。本実施例１では、第1の搬送手段であるＡ搬送路２６から搬送されてきた排除券紙葉類Ｐ、及び第２の搬送手段であるＢ搬送路２７によって搬送されてきた排除券紙葉類Ｐが集積される。
【００３９】
Ａ搬送路（第１の搬送手段）２６は、搬送ローラ３３Ｅに掛かる搬送ベルトと、搬送ローラ３３Ｅの回転方向下流に配置した搬送ローラ３３Ｆに掛かる搬送ベルトとを有して紙葉類Ｐを搬送し、搬送ローラ３３Ｅと搬送ローラ３３Ｆの間から紙葉類Ｐを集積羽根車３３Ａに向かって繰り出す。
【００４０】
Ｂ搬送路（第２の搬送手段）２７は、搬送ローラ３３Ｇに掛かる搬送ベルトと、搬送ローラ３３Ｇの回転方向下流に配置した搬送ローラ３３Ｈに掛かる搬送ベルトとを有して紙葉類Ｐを搬送し、搬送ローラ３３Ｇと搬送ローラ３３Ｈの間から紙葉類Ｐを集積羽根車３３Ａに向かって繰り出す。
【００４１】
集積羽根車３３Ａは、集積羽根車検知センサＳＣ３３によって検知され、Ａ搬送路２６又はＢ搬送路２７から繰り出される紙葉類Ｐのタイミングに合わせて、当該羽根車３３Ａの羽根と羽根の概略中央でこの紙葉類Ｐを取り込むように集積羽根車３３Ａの回転位置及び速度が設定される。
【００４２】
このことによって、集積羽根車３３Ａの紙葉類Ｐを取り込む取込位置が異なっても、あたかも同一の取込位置から取り込まれるのと同様に取り扱うことができる。従って集積の効果も同様である。
【００４３】
集積羽根車３３Ａに取り込まれた紙葉類Ｐは、集積羽根車３３Ａの回転に合わせて自然落下し、集積庫３３Ｄの底部に集積される。また、集積庫３３Ｄには、掻き出し板３３Ｂが設けられており、紙葉類Ｐが自然落下するときに集積羽根車３３Ａに引っかかって落下しない紙葉類Ｐを強制的に掻き出して集積庫３３Ｄに集積させる。
【００４４】
紙葉類集積装置３０、３１では指定券種の正券を集積するため、集積庫の底部に上述したシャッター（図示しない）が設けられている。このシャッターの上に所定枚数集積されると、例えば、満杯（１００枚）になると、満杯検知センサ（図示しない）によって満杯が検知される。この満杯検知の結果、シャッターが開き、集積された紙葉類Ｐがカセット（図示しない）に集積される。また、このカセットに集積された紙葉類Ｐは、押込板（図示しない）によってカセットの中に押圧される。
【００４５】
一方、排除券集積装置３３では、上記シャッター及びカセットが搭載されていない。この排除券集積装置３３には、Ａ搬送路２６によって搬送された紙葉類とＢ搬送路によって搬送された紙葉類が集積される。
【００４６】
Ａ搬送路２６によって搬送された紙葉類には、紙葉類判別部５０による判別の結果指定券種と異なると判別された紙葉類や偽券が含まれる。また、Ｂ搬送路２７によって搬送された紙葉類には、取出検知部５１による判別の結果取出異常と判別された複数枚取り出しや搬送ピッチ詰まり紙葉類が含まれる。
【００４７】
本実施例２では、排除券搬送路であるＡ搬送路２６とＢ搬送路２７を同一の紙葉類集積装置で集積する場合について説明したが、必ずしもこれに従うものではなく、例えば、Ａ搬送路２６は実施例２と同じにし、紙葉類判別装置５４Ｄと紙葉類判別装置５５の間からＢ搬送路２７を分岐してもよい。その理由は、紙葉類判別装置５４Ｄまでの判別結果に基づいて当該処理券種の券種判別及び真偽判別が行われるため、この時点で、当該紙葉類の判別結果が真券であるが指定券種と異なる場合は判別が可能である。従って、以降の紙葉類判別を行う必要がなく、ここで分岐してＢ搬送路２７に連結することができるためである。ただし、この場合には、上記取出異常で排除された紙葉類を集積する排除券集積部（集積羽根車を使用しない集積ポケット）を別途設ける場合がある。
【００４８】
以上の説明で明らかなように、このような構成にすることによって、2種類の搬送路から繰り出された紙葉類を取り込んで同一の紙葉類集積装置によって集積することができるため装置を小型化、単純化することができ、経済性に優れた紙葉類集積装置にすることができる。
【実施例２】
【００４９】
図３は、本発明の実施例２による排除券集積装置３３の主要部分を示す正面図である。実施例２の排除券集積装置３３は、図２に示す実施例１の排除券集積装置３３のＢ搬送路２７の配置位置が異なっている。すなわち、実施例２のＢ搬送路２７の配置位置が実施例１のＢ搬送路２７の配置位置に対して集積羽根車３３Ａの回転方向にずれ、このＢ搬送路２７から繰り出された紙葉類Ｐは集積羽根車３３Ａに取り込まれず、搬送ガイド３３Ｃに沿って集積庫３３Ｄに集積されるようになっている。
【００５０】
本実施例２の場合、Ａ搬送路（第1の搬送路）２６によって搬送された紙葉類Ｐには、正常に搬送された紙葉類で紙葉類判別部５０による判別の結果指定券種と異なると判別された紙葉類や偽券が含まれる。また、Ｂ搬送路（第2の搬送路）２７によって搬送された紙葉類Ｐには、取出検知部５１による判別の結果取出異常と判別された複数枚取り出しや搬送ピッチ詰まり紙葉類が含まれる。
【００５１】
このＢ搬送路２７によって搬送された紙葉類Ｐの集積に集積羽根車３３Ａを使用しない理由は、この紙葉類Ｐが取出異常の紙葉類であり、集積羽根車３３Ａによる集積が困難な場合が考えられるためである。すなわち、集積羽根車を用いた羽根車集積装置は、高速に搬送される紙葉類が連続かつ等間隔に搬送される場合に適しており、複数枚取り出しや搬送ピッチ詰まり紙葉類などの取出異常の紙葉類は搬送途中でジャムする場合があり羽根車集積には適していない。
【００５２】
このように、取出異常にならずに（正常に）搬送されてリジェクトされたＡ搬送路の紙葉類を集積羽根車によって集積し、取出異常になって搬送されたＢ搬送路の紙葉類を集積羽根車によらずに集積することによって同一紙葉類集積装置（ここでは排除券集積装置）で集積することができる。
【００５３】
以上の説明で明らかなように、このような構成にすることによって、Ａ搬送路とＢ搬送路の2種類の搬送路から繰り出された紙葉類を取り込んで同一の紙葉類集積装置によって集積することができるため装置を小型化、単純化することができ、経済性に優れた紙葉類集積装置にすることができる。
【図面の簡単な説明】
【００５４】
【図１】紙葉類処理装置の概略構成図。
【図２】本発明の実施例１の紙葉類集積装置の主要部分を示す正面図。
【図３】本発明の実施例２の紙葉類集積装置の主要部分を示す正面図。
【符号の説明】
【００５５】
Ｐ  紙葉類
Ｇ３０、Ｇ３１、Ｇ３２、Ｇ３３、Ｇ４０、Ｇ４１、Ｇ６０  振り分けゲート
ＳＣ３０、ＳＣ３１、ＳＣ３３  集積羽根車検知センサ
１  紙葉類処理装置
２  制御部
１０  供給部
１０Ａ  取出ローラ
ＳＣ１０  取出ローラ検知センサ
２０、２１、２２、２３、２４  搬送路
２６  Ａ搬送路
２７  Ｂ搬送路
３０、３１  紙葉類集積装置
３０Ａ、３１Ａ、３３Ａ  集積羽根車
３３  排除券集積装置
３３Ｂ  掻き出し板
３３Ｃ  搬送ガイド
３３Ｄ  集積庫
３３Ｅ、３３Ｆ、３３Ｇ、３３Ｈ  搬送ローラ
５０、５１、５２Ａ〜５２Ｂ、５３、５４Ａ〜５４Ｄ、５５、５６Ａ〜５６Ｂ  紙葉類判別装置
【図１】
2007045533.tif 000003
【図２】
2007045533.tif 000004
【図３】
2007045533.tif 000005